(57)【要約】【課題】コンパクトに形成できる水栓装置を提供すること。【解決手段】水栓装置３は、吐水口５１を有する吐水部５と、センサ部６と、水栓カバー部材４と、を備え、水栓カバー部材４の先端側の開口４４ａの内部において、吐水口５１は、下方側寄りに配置され、センサ部６は、吐水口５１よりも上方側に配置され、センサ部６は、第１方向Ｄ１に延びる第１基板６１と、第１基板６１から離間して配置され第１方向Ｄ１に交差する第２方向Ｄ２に延びると共に、センサ素子６２１が実装された第２基板６２と、第１基板６１と第２基板６２とを接続するフレキシブル配線６３と、を有し、フレキシブル配線６３は、延在部分６３１と、延在部分６３１から第２基板６２まで延びる略Ｕ字状の湾曲部分６３２と、を有し、湾曲部分は、第１基板６１及び第２基板６２において、第１方向Ｄ１及び第２方向Ｄ２に交差する幅方向Ｈの両端部側の少なくとも一方に配置される。【選択図】図５
2019173482.tif 000002
【特許請求の範囲】
【請求項１】
吐水口を有する吐水部と、センサ部と、前記吐水部及び前記センサ部を内部に収容して筒状に延びる水栓カバー部材と、を備える水栓装置であって、
前記水栓カバー部材の先端側の開口の内部において、前記吐水口は、下方側寄りに配置され、前記センサ部は、前記吐水口よりも上方側に配置され、
前記センサ部は、
第１方向に延びる第１基板と、
前記第１基板の前記第１方向の一端部から前記第１方向の外側に離間して配置され、前記第１方向に交差する第２方向に延びると共に、センサ素子が実装された第２基板と、
前記第１基板と前記第２基板とを接続するフレキシブル配線と、を有し、
前記フレキシブル配線は、前記第１基板における前記第１方向の一端部側から前記第１方向の外側に延びる延在部分と、前記延在部分における前記第１基板と反対側の端部から前記第２基板まで延びる略Ｕ字状の湾曲部分と、を有し、
前記湾曲部分は、前記第１基板及び前記第２基板において、前記第１方向及び前記第２方向に交差する幅方向の両端部側の少なくとも一方に配置される水栓装置。
【請求項２】
前記湾曲部分は、前記第１基板及び前記第２基板において、前記第１方向及び前記第２方向に交差する幅方向の両端部側に配置される請求項１に記載の水栓装置。
【請求項３】
前記湾曲部分は、前記第２基板の下端部において前記第２基板に接続される請求項１又は２に記載の水栓装置。
【請求項４】
前記第１基板は、該第１基板が延びる前記第１方向が、前記水栓カバー部材が延びる方向に沿うように配置され、
前記第２基板は、該第２基板が延びる前記第２方向が、前記水栓カバー部材が延びる方向に交差する方向に沿うように配置される請求項１〜３のいずれかに記載の水栓装置。
【請求項５】
前記第１方向に視た場合に、前記湾曲部分の少なくとも一部分は、前記第１基板よりも下方に位置する請求項１〜４のいずれかに記載の水栓装置。
【発明の詳細な説明】
【技術分野】
【０００１】
本発明は、水栓装置に関する。
【背景技術】
【０００２】
従来、先端にセンサ部を設けて、人の手等の物体をセンサ部で検知し、その検知信号に基づいて自動的に水を吐出する水栓装置が知られている（例えば、特許文献１参照）。水栓装置のセンサ部において、制御用のＩＣが実装された制御用基板とセンサ素子を実装したセンサ基板とを設け、これらの基板同士をフレキシブル基板で接続するものがある。
【先行技術文献】
【特許文献】
【０００３】
【特許文献１】特許第４７４５８８９号公報
【発明の概要】
【発明が解決しようとする課題】
【０００４】
制御用基板とセンサ基板とをフレキシブル基板で接続する水栓装置の場合、センサ基板は、吐水口に対面した人の手等の物体を検知するようにセンサ素子を配置するため、制御用基板に対して直交した状態で配置されることがある。この場合、制御用基板とセンサ基板との方向が異なるため、フレキシブル基板が厚み方向に突出して、水栓装置の先端側の部分が大型化することがあった。そのため、コンパクトに形成できる水栓装置が求められる。
【０００５】
本発明は、センサ部を備え、コンパクトに形成できる水栓装置を提供することを目的とする。
【課題を解決するための手段】
【０００６】
本発明は、吐水口（例えば、後述の吐水口５１）を有する吐水部（例えば、後述の吐水部５）と、センサ部（例えば、後述のセンサ部６）と、前記吐水部及び前記センサ部を内部に収容して筒状に延びる水栓カバー部材（例えば、後述のカバー筒体４）と、を備える水栓装置（例えば、後述の第２自動水栓）であって、前記水栓カバー部材の先端側の開口（例えば、後述の開口４４ａ）の内部において、前記吐水口は、下方側寄りに配置され、前記センサ部は、前記吐水口よりも上方側に配置され、前記センサ部は、第１方向（例えば、後述の第１方向Ｄ１）に延びる第１基板（例えば、後述の第１基板６１）と、前記第１基板の前記第１方向の一端部から前記第１方向の外側に離間して配置され、前記第１方向に交差する第２方向（例えば、後述の第２方向Ｄ２）に延びると共に、センサ素子（例えば、後述のセンサ素子６２１）が実装された第２基板（例えば、後述の第２基板６２）と、前記第１基板と前記第２基板とを接続するフレキシブル配線（例えば、後述のフレキシブル配線６３）と、を有し、前記フレキシブル配線は、前記第１基板における前記第１方向の一端部側から前記第１方向の外側に延びる延在部分（例えば、後述の延在部分６３１）と、前記延在部分における前記第１基板と反対側の端部から前記第２基板まで延びる略Ｕ字状の湾曲部分（例えば、後述の湾曲部分６３２）と、を有し、前記湾曲部分は、前記第１基板及び前記第２基板において、前記第１方向及び前記第２方向に交差する幅方向（例えば、後述の幅方向Ｈ）の両端部側の少なくとも一方に配置される水栓装置に関する。
【０００７】
また、前記湾曲部分は、前記第１基板及び前記第２基板において、前記第１方向及び前記第２方向に交差する幅方向の両端部側に配置されることが好ましい。
【０００８】
また、前記湾曲部分は、前記第２基板の下端部において前記第２基板に接続されることが好ましい。
【０００９】
また、前記第１基板は、該第１基板が延びる前記第１方向が、前記水栓カバー部材が延びる方向に沿うように配置され、前記第２基板は、該第２基板が延びる前記第２方向が、前記水栓カバー部材が延びる方向に交差する方向に沿うように配置されることが好ましい。
【００１０】
また、前記第１方向に視た場合に、前記湾曲部分の少なくとも一部分は、前記第１基板よりも下方に位置することが好ましい。
【発明の効果】
【００１１】
本発明によれば、センサ部を備え、コンパクトに形成できる水栓装置を提供することができる。
【図面の簡単な説明】
【００１２】
【図１】本発明の一実施形態に係るキッチンユニットの全体斜視図である。
【図２】第２自動水栓の吐水部及びセンサ部を示す斜視図である。
【図３】第２自動水栓の吐水部及びセンサ部を吐水口に対面して見た図である。
【図４】センサ部の全体構成を示す斜視図である。
【図５】センサ部の分解斜視図である。
【図６】第１基板及び第２基板を下方側から見た斜視図である。
【発明を実施するための形態】
【００１３】
以下、本発明の実施形態について図面を参照しながら説明する。なお、本発明は以下の実施形態に限定されるものではない。
本実施形態に係る第２自動水栓（水栓装置）は、例えばキッチンユニットのカウンターや手洗ユニットなどに設置され、人の手等の物体をセンサで検知し、その検知信号に基づいて自動的に水を吐出する装置である。
【００１４】
図１は、本発明の一実施形態に係るキッチンユニット１の全体斜視図である。図２は、第２自動水栓３の吐水部及びセンサ部６を示す斜視図である。図３は、第２自動水栓３の吐水部５及びセンサ部６を吐水口５１に対面して見た図である。図４は、センサ部６の全体構成を示す斜視図である。図５は、センサ部６の分解斜視図である。図６は、第１基板６１及び第２基板６２を下方側から見た斜視図である。
【００１５】
図１に示すように、キッチンユニット１は、カウンター１１と、シンク１２と、第１自動水栓２と、第２自動水栓３（水栓装置）と、を備える。
【００１６】
シンク１２は、カウンター１１の一部に設けられる。シンク１２は、第１自動水栓２から吐水された水（あるいは湯）や、第２自動水栓３から吐出された水を受けて排出する。シンク１２の底部には、排水口（図示せず）が形成されている。排水口は、排水管（図示せず）と連通している。第１自動水栓２及び第２自動水栓から吐出された水は、手洗いなどに使用される。シンク１２に受けられた水は、排水口に導かれ、排水口から排水管を通じて下水道等の外部に排出される。
【００１７】
シンク１２は、シンク本体１２１と、シンク上面板１２２と、を有する。シンク本体１２１は、図１におけるカウンター１１の手前側に配置され、上方が開口して水平方向に延びた箱状に形成される。シンク上面板１２２は、シンク本体１２１の奥側の上端部から奥側に水平に延びており、カウンター１１の上面１１１から一段下がった位置に配置される。
【００１８】
シンク上面板１２２には、図１において正面から見て左側に配置される第１自動水栓２と、図１において正面から見て右側に配置される第２自動水栓３とが配置される。本実施形態においては、例えば、第１自動水栓２は、温度調整機能付きの自動水栓であり、第２自動水栓３は、浄水供給用の自動水栓である。
【００１９】
第２自動水栓３について説明する。図１に示すように、第２自動水栓３は、カバー筒体４（水栓カバー部材）と、吐水部５と、物体を検知するセンサ部６と、を備える。第２自動水栓３は、人の手等の物体がセンサ部６の検知範囲内に入ることでセンサ部６が物体を検知すると、自動的に吐水部５の吐水口５１から水を吐出する。
【００２０】
カバー筒体４は、第２自動水栓３の外形を構成し、筒状に延びて形成される。カバー筒体４は、シンク上面板１２２から上方に所定長さ延び、上方側において凸になるように湾曲し、手前側に所定長さ延びる。カバー筒体４の内部には、図２に示すように、カバー筒体４に沿って、先端側から基端側に向けて、給水チューブ１３１及び配線ケーブル１３２が通されて配置される。カバー筒体４は、先端側に配置される斜め管４４を有する。
【００２１】
カバー筒体４の基端側は、シンク上面板１２２に取り付けられ、カバー筒体４の先端側には、吐水部５及びセンサ部６が収容される。吐水部５の吐水口５１及びセンサ部６は、カバー筒体４の先端側の開口４４ａの内部において並んで配置される。カバー筒体４の先端側の開口４４ａにおいて、吐水部５の吐水口５１は、奥側において下方側寄りに配置され、センサ部６は、手前側において吐水口５１よりも上方側に配置される。
【００２２】
センサ部６は、図２に示すように、カバー筒体４の斜め管４４の先端側から後部側に所定長さ延びる板状に形成される。センサ部６は、図２及び図３に示すように、カバー筒体４の斜め管４４の先端側において、カバー筒体４の先端側の開口４４ａを対面して見た場合に、開口４４ａの内部において、吐水口５１の円弧に沿うように、幅方向Ｈの中央が上方側に凸となるように円弧状に湾曲して形成される。
【００２３】
センサ部６は、図４〜図６に示すように、第１方向Ｄ１に延びる第１基板６１と、第１方向Ｄ１に直交（交差）する第２方向Ｄ２に延びる第２基板６２と、第１基板６１と第２基板６２とを接続する一対のフレキシブル配線６３と、保持枠体６４と、保護部材６５と、センサケース６６と、を有する。保持枠体６４は、枠部６４２と、光を案内するスリット６４３ａが形成されたセンサカバー部６４３と、を有する。
【００２４】
センサケース６６の内部には、第１基板６１、第２基板６２、一対のフレキシブル配線６３、保持枠体６４及び保護部材６５が収容される。センサケース６６は、所定の厚みを有する円弧状に湾曲した箱体により板状に形成され、カバー筒体４の斜め管４４の先端側から後部側に上り傾斜で延びる。センサケース６６は、カバー筒体４の先端側の開口４４ａの内部において、開口４４ａの上側の円弧面に沿うように、上方側が凸となるように円弧状に湾曲して形成される。
【００２５】
本実施形態においては、図４及び図５に示すように、センサ部６は、第１基板６１及び第２基板６２がフレキシブル配線６３で接続された状態で、第２基板６２が保持枠体６４の係合部６４１されて保持枠体６４に保持される。第１基板６１及び第２基板６２が保持枠体６４に保持された状態で、第１基板６１、第２基板６２及びフレキシブル配線６３は、センサケース６６の内部に収容される。
【００２６】
第１基板６１は、図４に示すように、厚みを有する板材により形成され、幅方向Ｈに所定の長さを有して、第１方向Ｄ１に延びる。第１基板６１は、第１基板６１が延びる第１方向Ｄ１が、カバー筒体４の斜め管４４（図２参照）が延びる方向に沿うように配置される。第１基板６１は、外形が略長方形状の板材により形成される。第１基板６１は、吐水部５の吐水口５１を対面して見た場合に、手前側から奥側に延びるように形成される。第１基板６１には、各種のＩＣなどが実装されている。第１基板６１の斜め上側の第１方向Ｄ１の他端部側には、複数の配線ケーブル１３２が接続されている。
【００２７】
第２基板６２は、図４に示すように、第１基板６１の第１方向Ｄ１の手前側の一端部から第１方向Ｄ１の外側に離間して配置される。第２基板６２は、板材により形成され、幅方向Ｈの長さが第１基板６１と略同じ所定の長さで、第１方向Ｄ１に直交（交差）する第２方向Ｄ２に延びる。第２基板６２は、第２基板６２が延びる第２方向Ｄ２が、カバー筒体４の斜め管４４（図２参照）に直交（交差）する方向に沿うように配置される。
【００２８】
第２基板６２は、図５に示すように、直線状の底辺６２２ａと、上方側に円弧形状に凸に形成される上部円弧辺６２２ｂと、を有して形成され、第１方向Ｄ１に厚みを有する板材により形成される。上部円弧辺６２２ｂは、センサケース６６の上面の湾曲形状に合わせて円弧状に形成される。第２基板６２の下方側の一部分は、図３に示すように、第１方向Ｄ１に視た場合（吐水部５の吐水口５１を対面して見た場合）に、第１基板６１に重なって配置される。第２基板６２は、図６に示すように、第１方向Ｄ１に視た場合（吐水部５の吐水口５１を対面して見た場合）に、上部円弧辺６２２ｂにおける上端円弧端面の上方側の一部分が、第１基板６１の上面よりも上方に位置し、第２基板６２の底辺６２２ａにおける下端面が、第１基板６１の下面よりも上方に位置する。
【００２９】
第２基板６２における第１基板６１と反対側（斜め管４４の先端側）の面には、図５及び図６に示すように、センサ素子６２１が実装されている。センサ素子６２１は、吐水部５の吐水口５１（図３参照）に対面する位置に物体が存在する場合に物体を検知するように、吐水口５１が向く方向と同じ方向に光を出射するように配置される。
【００３０】
フレキシブル配線６３は、第１基板６１と第２基板６２とを接続する。フレキシブル配線６３は、図３に示すように、カバー筒体４の先端側の開口４４ａを対面して見た場合に、第１基板６１及び第２基板６２の幅方向Ｈの両端部側に、一対設けられる。一対のフレキシブル配線６３は、カバー筒体４の先端側の開口４４ａを対面して見た場合に、カバー筒体４の先端側の開口４４ａの内部において、吐水口５１の上方側の外縁における両方の外側に形成される円弧状に下る下り傾斜部分５１１の上方側に配置される。
【００３１】
フレキシブル配線６３は、図５及び図６に示すように、第１基板６１における第１方向Ｄ１の一端部側から第１方向Ｄ１の外側に延びる延在部分６３１と、延在部分６３１における第１基板６１と反対側の端部から第２基板６２まで延びる略Ｕ字状の湾曲部分６３２と、を有する。
【００３２】
延在部分６３１は、図６に示すように、平面状に形成される、延在部分６３１は、一端が、第１基板６１の第１方向Ｄ１の一端部に形成される側端面６１３に接続され、一端から他端まで第１方向Ｄ１に延び、他端が、湾曲部分６３２の一端に接続される。側端面６１３は、第１基板６１の第１方向Ｄ１の一端部において、第１方向Ｄ１の第２基板６２側の側方を向いて形成され、第２方向Ｄ２に幅を有して幅方向Ｈに延びる。
【００３３】
湾曲部分６３２は、下方側に凸となる略Ｕ字形状に湾曲して形成され、一端が、延在部分６３１の他端に接続され、一端から他端まで下方側に凸となる略Ｕ字形状に湾曲して延び、他端が、第２基板６２の第２方向Ｄ２の下端部に形成される下端面６２３に接続される。下端面６２３は、第２基板６２の第２方向Ｄ２の下端部において、下方側を向いて形成され、第１方向Ｄ１に幅を有して幅方向Ｈに延びる。湾曲部分６３２の少なくとも一部分は、図３及び図６に示すように、第１方向Ｄ１に視た場合（吐水部５の吐水口５１を対面して見た場合）に、第１基板６１よりも下方に位置する。
【００３４】
以上のフレキシブル配線６３は、第１基板６１及び第２基板６２の幅方向Ｈの両端部側の両側に配置される。フレキシブル配線６３は、第１基板６１の第１方向Ｄ１の一端部の側端面６１３から第１方向Ｄ１に延在部分６３１が延び、延在部分６３１の第１方向Ｄ１の一端部が湾曲部分６３２の一端に接続され、湾曲部分６３２において下方側に凸となる略Ｕ字形状に湾曲し、湾曲部分６３２の他端が第２基板６２の下端部の下端面６２３において第２基板６２に接続される。
【００３５】
以上説明した本実施形態に係る第２自動水栓３によれば、以下のような効果を奏する。
本実施形態の第２自動水栓３においては、カバー筒体４の先端側の開口４４ａの内部において、吐水口５１は、下方側寄りに配置され、センサ部６は、吐水口５１よりも上方側に配置され、センサ部６は、第１方向Ｄ１に延びる第１基板６１と、第１基板６１から離間して配置され第１方向Ｄ１に交差する第２方向Ｄ２に延びると共に、センサ素子６２１が実装された第２基板６２と、第１基板６１と第２基板６２とを接続するフレキシブル配線６３と、を有し、フレキシブル配線６３は、延在部分６３１と、延在部分６３１から第２基板６２まで延びる略Ｕ字状の湾曲部分６３２と、を有し、湾曲部分６３２は、第１基板６１及び第２基板６２において、第１方向Ｄ１及び第２方向Ｄ２に交差する幅方向Ｈの両端部側に配置される。これにより、フレキシブル配線６３の湾曲部分６３２を、吐水口５１の上方側の幅方向Ｈの両端部側のスペースに配置できるため、カバー筒体４の先端側の部分をコンパクトに形成できる。よって、第２自動水栓３の先端側の部分をコンパクトに形成できる。
【００３６】
また、本実施形態では、湾曲部分６３２は、第２基板６２の下端部において第２基板６２に接続される。これにより、第２基板６２の下端部側に配置した湾曲部分６３２を、吐水口５１の上方側の幅方向Ｈの両端部側のスペースを有効的に活用することができ、第２自動水栓３の先端側の部分をコンパクトに形成できる。
【００３７】
また、本実施形態では、湾曲部分６３２の少なくとも一部分は、第１方向Ｄ１に視た場合に、第１基板６１よりも下方に位置する。これにより、吐水口５１の上方側の幅方向Ｈの両端部側において、第１基板６１の下方のスペースを有効的に活用することができ、第２自動水栓３の先端側の部分を一層コンパクトに形成できる。
【００３８】
本発明は上記実施形態に限定されるものではなく、本発明の目的を達成できる範囲での変形、改良等は本発明に含まれる。
前記実施形態においては、フレキシブル配線６３を、第１基板６１及び第２基板６２の幅方向Ｈの両端部側の両方に設けたが、これに限定されない。フレキシブル配線６３を、第１基板６１及び第２基板６２の幅方向Ｈの両端部側の一方のみに設けてもよい。
【符号の説明】
【００３９】
３  第２自動水栓（水栓装置）
４  カバー筒体（水栓カバー部材）
５  吐水部
６  センサ部
４４ａ  開口
５１  吐水口
６１  第１基板
６２  第２基板
６３  フレキシブル配線
６２１  センサ素子
６３１  延在部分
６３２  湾曲部分
Ｄ１  第１方向
Ｄ２  第２方向
Ｈ  幅方向
【図１】
2019173482.tif 000003
【図２】
2019173482.tif 000004
【図３】
2019173482.tif 000005
【図４】
2019173482.tif 000006
【図５】
2019173482.tif 000007
【図６】
2019173482.tif 000008